(57)【要約】【課題】散布物ホッパー内の薬剤を、散布物ホッパー底部の形状に沿って、散布物ホッパーごとに両端底部の２箇所に設置した繰出部へ円滑に誘導し、繰出部の薬剤詰まりを防止し得る、作業性を向上させた田植機の散布装置を提供する。【解決手段】後部に苗載台３１を着脱可能に装着し、苗載台３１の後方であって、苗載台３１に架設したフレーム５３と、フレーム５３に固定した散布物ホッパー５４と、散布物ホッパー５４に繰出部５５を介して苗載台３１下部の各条ごとに設けたホース５６ａａ，５６ｂａと、ホース５６ａａ，５６ｂａの先端に取付けたノズル５６ａｂ，５６ｂｂとからなり、苗載台３１上の苗マットの床土上に散布物ホッパー５４の薬剤をノズル５６ａｂ，５６ｂｂを介して散布し、散布物ホッパー５４の形状は、この散布物ホッパー５４の底部ｂであって、左右両端部を、中央部から下方に向けて斜設する。【選択図】図５
2011062175.tif 000002
【特許請求の範囲】
【請求項１】
苗載台の後方であって、前記苗載台に架設したフレームと、
前記フレーム上に固定した散布物ホッパーと、
前記散布物ホッパーに繰出部を介して前記苗載台下部の各条ごとに設けたホースと、
前記ホースの先端に取付けたノズルと、
からなり、前記苗載台上の苗マットの床土上に前記散布物ホッパーの薬剤を、前記ノズルを介して散布する田植機の散布装置において、
前記散布物ホッパーの形状は、該散布物ホッパー底部であって、左右両端部を、中央部から下方に向けて斜設したことを特徴とする田植機の散布装置。
【請求項２】
前記散布物ホッパーの底部は、前記左右両端部が、前記中央部から安息角以上の角度を有することを特徴とする、請求項１に記載の田植機の散布装置。
【請求項３】
前記ノズルは、前記散布物ホッパーの左右各端部の近傍に設置するとともに、前記散布物ホッパー間に、前記苗マットの苗を取出可能な隙間を設け、かつ散布物ホッパーの左右両端の底部には、前記繰出部を設けることを特徴とする、請求項１に記載の田植機の散布装置。
【請求項４】
前記散布物ホッパーは、上面部および/または側面部に把持部を備えることを特徴とする、請求項１に記載の田植機の散布装置。
【発明の詳細な説明】
【技術分野】
【０００１】
本発明は、苗載台上の苗マットの床土上に散布物ホッパーの薬剤を、ノズルを介して散布する田植機の散布装置に関し、より詳細には、散布物ホッパーの形状は、この散布物ホッパー底部であって、左右両端部を、中央部から下方に向けて斜設した田植機の散布装置に関する。
【背景技術】
【０００２】
従来の田植機には、後部に着脱可能に装着した苗載台の後方に、フレームなどを介して、苗載台上における苗マットの床土上に、防虫剤を施薬する箱施用剤散布装置を備え、移植後の苗に害虫や葉イモチ、紋枯病などの発生を抑制するもの（特許文献１および特許文献２など）がある。
【先行技術文献】
【特許文献】
【０００３】
【特許文献１】特開２００２−２５３００９号公報
【特許文献２】特開２００６−１５８３８０号公報
【発明の概要】
【発明が解決しようとする課題】
【０００４】
しかし、上記のような田植機の箱施用剤散布装置では、フレームに設置された比較的容積の大きい１個もしくは２個の散布物ホッパーにおける底部１箇所に有する薬剤の繰出部から分岐された複数のホースを介して、散布物ホッパー内の薬剤が、苗マットの床土上に散布されるため、散布物ホッパー内の薬剤が繰出部に集中落下して繰出部が詰まり、円滑に薬剤が散布されない恐れがあり、繰出部の頻繁な掃除やメンテナンスの必要など作業性が悪いという問題があった。
そこで、この発明の目的は、散布物ホッパー内の薬剤を、散布物ホッパー底部の形状に沿って、散布物ホッパーごとに両端底部の２箇所に設置した繰出部へ円滑に誘導し、繰出部の薬剤詰まりを防止し得る、作業性を向上させた田植機の散布装置を提供するものである。
【課題を解決するための手段】
【０００５】
このため、請求項１に記載の発明は、苗載台の後方であって、前記苗載台に架設したフレームと、前記フレーム上に固定した散布物ホッパーと、前記散布物ホッパーに繰出部を介して前記苗載台下部の各条ごとに設けたホースと、前記ホースの先端に取付けたノズルとからなり、前記苗載台上の苗マットの床土上に前記散布物ホッパーの薬剤を、前記ノズルを介して散布する田植機の散布装置において、前記散布物ホッパーの形状は、該散布物ホッパー底部であって、左右両端部を、中央部から下方に向けて斜設したことを特徴とする。
【０００６】
請求項２に記載の発明は、請求項１に記載の田植機の散布装置において、前記散布物ホッパーの底部は、前記左右両端部が、前記中央部から安息角以上の角度を有することを特徴とする。
【０００７】
請求項３に記載の発明は、請求項１に記載の田植機の散布装置において、前記ノズルは、前記散布物ホッパーの左右各端部の近傍に設置するとともに、前記散布物ホッパー間に、前記苗マットの苗を取出可能な隙間を設け、かつ前記散布物ホッパーの左右両端の底部には、前記繰出部を設けることを特徴とする。
【０００８】
請求項４に記載の発明は、請求項１に記載の田植機の散布装置において、前記散布物ホッパーは、上面部および/または側面部に把持部を備えることを特徴とする。
【発明の効果】
【０００９】
請求項１に記載の発明によれば、苗載台の後方であって、苗載台に架設したフレームと、フレーム上に固定した散布物ホッパーと、散布物ホッパーに繰出部を介して苗載台下部の各条ごとに設けたホースと、ホースの先端に取付けたノズルとからなり、苗載台上の苗マットの床土上に散布物ホッパーの薬剤を、ノズルを介して散布する田植機の散布装置において、散布物ホッパーの形状は、この散布物ホッパー底部であって、左右両端部を、中央部から下方に向けて斜設したので、散布物ホッパー内の薬剤を、散布物ホッパー底部の形状に沿って二方向に分割し、それぞれの繰出部へ円滑かつ均等に誘導し、散布物ホッパー内の薬剤を左右両端部に設置した繰出部まで均等かつ容易に誘導することができ、繰出部への薬剤詰まりを防止できるとともに、苗載台上の各条ごとに均一に薬剤を散布することができる。従って、作業性を向上させた田植機の散布装置を提供することができる。
【００１０】
請求項２に記載の発明によれば、散布物ホッパーの底部は、左右両端部が、中央部から安息角以上の角度を有するので、散布物ホッパー内の薬剤は、散布物ホッパーの中央近傍から左右両端部へ向け、機体の振動に加えて安息角以上の斜設面により崩落し易くなり、両端部に有する繰出部に確実に薬剤を誘導することができる。従って、作業性を向上させた田植機の散布装置を提供することができる。
【００１１】
請求項３に記載の発明によれば、ノズルは、散布物ホッパーの左右各端部の近傍に設置するとともに、各散布物ホッパー間に、苗マットの苗を取出可能な隙間を設け、かつ散布物ホッパーの左右両端の底部には繰出部を設けるので、散布物ホッパーの間にスペースを確保し、散布物ホッパー間から苗を取り出し易くするとともに、散布物ホッパー内で二方向に分かれた薬剤を、それぞれの繰出部から各条に、薬剤を詰まらせることなく、確実かつ円滑に散布することができる。従って、作業性を向上させた田植機の散布装置を提供することができる。
【００１２】
請求項４に記載の発明によれば、散布物ホッパーは、上面部および/または側面部に把持部を備えるので、繰出部や、ホース、ノズルなどとともに一体的に構成された散布物ホッパーを作業者が着脱する際、把持部を持つことで落とすことなく、散布物ホッパー類の破損防止ができるとともに、安全かつ容易に着脱作業を行うことができる。従って、作業性を向上させた田植機の散布装置を提供することができる。
【図面の簡単な説明】
【００１３】
【図１】この発明の一例を示す、田植機の全体側面図である。
【図２】田植機の平面図である。
【図３】箱施用剤散布装置を備える苗載台の背面図である。
【図４】散布物ホッパーを含むユニットの拡大斜視図である。
【図５】散布物ホッパーの拡大背面図である。
【図６】散布物ホッパーの上面部に把持部を備えた散布物ホッパーの斜視図である。
【図７】散布物ホッパーの側面部に把持部を備えた散布物ホッパーの斜視図である。
【発明を実施するための形態】
【００１４】
以下図面を参照しつつ本発明を実施するための最良の形態について説明する。
図１は、この発明の一例として、田植機の全体側面図、図２は田植機の平面図である。
【００１５】
この例の田植機１は、図１〜２に示すように、作業者が搭乗する走行車体１０の車体フレーム１１には、前部にエンジン１２と、後部にミッションケース１３とが設けられ、ミッションケース１３の前方両側にフロントアクスルケース１４を介して水田走行用前輪１５が支持されるとともに、ミッションケース１３の後部両側にリヤアクスルケース１６を介して水田走行用後輪１７が支持されている。
【００１６】
また、エンジン１２とその近傍の部材は、ボンネット１８で被覆され、ミッションケース１３とその近傍の部材は、ステップ１９を有する車体カバー２０によって被覆されている。そして、車体カバー２０の上部に運転席２１が取り付けられ、その運転席２１の前方に操向ハンドル２２が設けられている。
【００１７】
走行車体１０の後部には、多条植え用（図例では８条であるが、限定されない）の苗載台３１や複数の植付爪３２を具備する植付部３０が連らなる。この植付部３０は、トップリンク３３およびロワーリンク３４を含む３点昇降リンク機構を用いて、走行車体１０に連結されている。そして、走行車体１０の後部とロワーリンク３４との間に介設された図示しない油圧シリンダーの伸縮動作によって、昇降自在に構成されている。
【００１８】
また、前高後低に設置された苗載台３１は、板状の前傾式であり、下部ガイドレール３５および上部ガイドレール３６を介して、中央及び左右の植付伝動ケース３７に対して左右往復摺動自在に支持されている。その植付伝動ケース３７の下方には、中央及び左右の植付用均平フロート３８，３９が、植付深さ調節部材を介して支持されている。従って、植付部３０を降下させて、このフロート３８，３９を着地させることにより、苗載台３１上の苗マットから取り出す苗の植付深さを設定するように構成している。
【００１９】
次に、本願発明の特徴である箱施用剤散布装置について詳述する。図３は箱施用剤散布装置を備える苗載台の背面図、図４は散布物ホッパーを含むユニットの拡大斜視図、図５は散布物ホッパーの拡大背面図である。
【００２０】
図３に示すように、上述した苗載台３１には、散布装置としての箱施用剤散布装置５１が着脱自在に装着される。この箱施用剤散布装置５１は、苗載台３１の上方（機体後方）に設けられ、苗の移植と同時に苗マットに施薬するものであり、苗載台３１の苗マット載置部５２に対向して配置される。なお、苗載台３１上における苗マット載置部５２の機体進行方向１列を１条とするため、図例の苗載台３１は８条用とされる。なお、図中では苗マットおよびフロート３８，３９などを省略して示した。
【００２１】
そして、この箱施用剤散布装置５１は、フレーム５３や、複数の散布物ホッパー５４のそれぞれに備えた繰出部５５、搬送部５６などで構成される。なお、符号５７は、箱施用剤散布装置５１によって苗マットに施薬する際、苗を掻き分ける掻き分け棒である。
【００２２】
また、フレーム５３は、各植付部３０にステー５８を介して支持し、苗載台３１の後方を苗載台３１に対して左右幅方向に着脱自在に架設したものであり、このフレーム５３に複数の散布物ホッパー５４が左右一直線に取付けられる。
【００２３】
このとき、フレーム５３は、各散布物ホッパー５４における蓋部５４ａの上端部位置が、苗載台３１の高さの半分よりも低い位置ａになるように、苗載台３１の両端部位置に架設される。
【００２４】
散布物ホッパー５４は、図示しない苗マットに施薬する薬剤を貯溜するものであり、図４に示すように、各散布物ホッパー５４のそれぞれ上部には蓋部５４ａが設けられ、この蓋５４ａを開けて散布物ホッパー５４の内部に薬剤を補充する。なお、蓋部５４ａは、散布物ホッパー５４の本体に対して図示しない留め具を用いて開閉自在に適宜取付けられるものである。
【００２５】
また、各散布物ホッパー５４の下部は、図５に示すように、その左右両端部を、中央部から下方に向けて二方向に傾斜させた、地面の水平面に対して２０度程度の安息角αを有する斜設部５４ｂａ，５４ｂｂを備えるとともに、左右それぞれの下部が漏斗状になっており、左右両端の底部ｂには開口部５４ｃａ，５４ｃｂがそれぞれ設けられている。なお、安息角αは、２０度以上とすることができるが、散布物ホッパー５４の容積を大きく取れるように２０度程度にすることが好ましい。
【００２６】
従って、散布物ホッパー５４に貯溜された薬剤は、自重で散布物ホッパー５４の下端部に降下するとともに、斜設部５４ｂａ，５４ｂｂに沿って左右二方向に分岐され、各底部ｂの開口部５４ｃａ，５４ｃｂから、これら下方に接続された繰出部５５ａ，５５ｂに落下する。
【００２７】
なお、この箱施用剤散布装置５１が取り扱う薬剤は、移植後の苗に害虫や葉イモチ、紋枯病などの発生を抑制する防虫剤として、主に粉体の原料を粒状に成形したものであるが、これに限定されるものではない。
【００２８】
次いで、各繰出部５５ａ，５５ｂは、散布物ホッパー５４に貯溜された薬剤を所定量ずつ繰り出すものであり、それぞれ繰出ケース５５ａａ、５５ｂａや図示しない繰出ロール、ロール軸５５ｃなどで構成される。
【００２９】
なお、ロール軸５５ｃは、ギア５９を介して隣設する散布物ホッパー５４における繰出部５５のロール軸５５ｃに連結されるとともに、このロール軸５５ｃの一端部または中途部には、苗載台３１の適宜位置に取付けられた図示しない駆動モータが連結される。なお、ロール軸５５ｃは、植付部３０を駆動させる不図示のＰＴＯ軸により駆動させてもよい。
【００３０】
そして、散布物ホッパー５４の下端部に連結される各繰出ケース５５ａａ、５５ｂａは、上下面が開口した箱状の部材であり、その内部にそれぞれ前記繰出ロールを収容する。また、繰出ケース５５ａａ、５５ｂａの内部空間は、前記繰出ロールを挟んで上半部と下半部に区画される。従って、散布物ホッパー５４から落下してきた薬剤は、繰出ケース５５ａａ、５５ｂａの上半部の空間に充填される。
【００３１】
なお、前記繰出ロールは、略円柱形状の部材であり、その外周面には複数の溝が設けられ、この溝の長手方向は、各繰出ロールの両端面を貫通するロール軸５５ｃの長手方向（軸心方向）と略一致する。
【００３２】
また、ロール軸５５ｃは、前記各繰出ロールを、繰出ケース５５ａａ、５５ｂａの内部で回動可能に軸支するための軸であり、これら繰出ロールに貫設され、ロール軸５５ｃの両端は、繰出ケース５５ａａ、５５ｂａの左右側面から突出される。そして、ロール軸５５ｃを回動駆動することにより、繰出ケース５５ａａ、５５ｂａに収容された前記繰出ロールが回動される。
【００３３】
そして、繰出ケース５５ａａ、５５ｂａの上半部の空間に充填された薬剤の一部は、前記各繰出ロールの外周面に接触され、さらにその一部が、これら繰出ロールの外周面に設けられた溝に収容される。そして、これら繰出ロールを回動させると、この繰出ロールの溝に収容された薬剤のみが繰出ケース５５ａａ、５５ｂａの下半部の空間に移動し、この溝から下方に落下する。
【００３４】
なお、前記繰出ロールに設けられる溝の本数、長さ、深さ、幅を変更することにより、繰り出される薬剤の量を適宜選択することができる。
【００３５】
次に、繰出部５５ａ，５５ｂのそれぞれには、搬送部５６ａ，５６ｂが連結される。この搬送部５６ａ，５６ｂは、これら繰出部５５ａ，５５ｂにより繰り出された薬剤を搬送し、図示しない苗マットの床土上に施薬するものである。
【００３６】
そして、この搬送部５６ａ，５６ｂのそれぞれは、主にホース５６ａａ，５６ｂａおよびノズル５６ａｂ，５６ｂｂなどで構成される。従って、１つの散布物ホッパー５４は、各繰出部５５ａ，５５ｂを介して２本のホース５６ａａ，５６ｂａを備える構成とされる。なお、ホース５６ａａ，５６ｂａまたはノズル５６ａｂ，５６ｂｂを伸縮自在な構造にして、ノズル５６ａｂ，５６ｂｂを、苗マット載置部５２の下端位置まで伸長し、これらノズル５６ａｂ，５６ｂｂから地面に散布物を散布させる構成にすることもできる。また、ノズル５６ａｂ，５６ｂｂは、散布物ホッパー５４の左右各端部の近傍に設置するとともに、各散布物ホッパー５４間に、前記苗マットの苗を取出可能な隙間を設けているため、各散布物ホッパー５４の間にスペースを確保し、散布物ホッパー５４間から苗を取り出し易くすることができる。
【００３７】
なお、本願発明の箱施用剤散布装置５１では、１つの散布物ホッパー５４は、繰出部５５ａ，５５ｂや搬送部５６ａ，５６ｂなどを一体的に構成したユニットｕをなすものであり、それぞれをユニットｕごとに一体的に着脱可能とされる。
【００３８】
つまり、箱施用剤散布装置５１は、複数のユニットｕから構成されるものである。なお、散布物ホッパー５４の本体においても、この底部の開口部まで一体成型した構成とされる。
【００３９】
従って、苗載台３１の苗マット載置部５２は、例えばその両端に位置する各１条の苗マット載置部５２もしくは、左右一方の端部に位置する２条分の苗マット載置部５２を取り外して、苗載台３１の中央部に位置する苗マット載置部５２の後方に折り畳み収納する際、これら苗載台３１の中央部に位置するユニットｕをフレーム５３から脱着し、苗マット載置部５２の折り畳み収納を阻害しない位置のフレーム５３´にユニットｕごと一体的に装着することができる。
【００４０】
そして、繰出部５５ａ，５５ｂから繰り出された薬剤が、ホース５６ａａ，５６ｂａ内を落下して、ノズル５６ａｂ，５６ｂｂから図示しない苗マットの床土上に薬剤が散布される。
【００４１】
なお、ノズル５６ａｂ，５６ｂｂの下端には、図示しない筒状の回転体を回動自在に外嵌し、該回転体の外周に複数の図示しない突起を設けて、前記苗マットと当接可能に配置するとともに、該回転体より突出してノズル５６ａｂ，５６ｂｂ先端内面に延設したスクレーパｓが設けられる。
【００４２】
従って、スクレーパｓにより、この苗の移植時に薬剤が散布されると同時に苗載台３１が左右往復動し、この往復動に伴い前記回転体が苗などに当接して回転し、この回転によりノズル５６ａｂ，５６ｂｂ先端に付着した泥や薬剤などを掻き取り、ノズル５６ａｂ，５６ｂｂの詰まりを防止させることができる。
【００４３】
このような配置により、苗載台３１上に配列させた苗マット載置部５２の２条に対する施薬を、１つの散布物ホッパー５４により、この散布物ホッパー５４に設けられた２本の各ホース５６ａａ，５６ｂａで行う構成とされる。
【００４４】
従って、苗載台３１上における苗マット載置部５２（苗マット）が偶数条ｎを備える場合であれば、そのｎ/２個の散布物ホッパー５４が、フレーム５３に取付けられ、各条の施薬がこれらｎ/２個の散布物ホッパー５４により行われる。
【００４５】
また、苗マット載置部５２が奇数条ｍを備える場合であれば、（ｍ−１）/２＋１個の散布物ホッパー５４が、フレーム５３に取付けられ、各条の施薬がこれらｎ/２個の散布物ホッパー５４により行われる。
【００４６】
なお、この場合、フレーム５３に取付けられた散布物ホッパー５４の中の１つだけは、散布物ホッパー５４の底部に、繰出部５５および搬送部５６を１箇所のみの配置とし、１つの散布物ホッパー５４から１本のホース５６により、苗マット載置部５２の１条だけに施薬する構成とされる。
【００４７】
従って、この散布物ホッパー５４は、底部に繰出部５５を接続するための開口部５４を１箇所設けた漏斗状の直方体や立方体などの形状であってもよいが、上述した中央部から下方に向けて二方向に傾斜させた斜設部５４ｂａ，５４ｂｂを有する形状であれば、一方の繰出部５５を塞ぎ、他方の繰出部５５のみを使用する構成としてもよい。
【００４８】
以上のような構成により、まず、散布物ホッパー５４の形状は、この散布物ホッパー５４の底部ｂであって、左右両端部を、中央部から下方に向けて斜設部５４ｂａ，５４ｂｂを形成して斜設させたので、散布物ホッパー５４内の薬剤を、散布物ホッパー５４底部ｂの形状に沿って二方向に分割し、それぞれの繰出部５５ａ，５５ｂへ円滑かつ均等に誘導することができ、繰出部５５ａ，５５ｂへの薬剤詰まりを防止できるとともに、苗載台３１上の各条ごとに均一に薬剤を散布することができる。
【００４９】
また、散布物ホッパー５４の底部ｂは、左右両端部が、中央部から安息角α以上の角度を有するので、散布物ホッパー５４内の薬剤は、散布物ホッパー５４の中央近傍から左右両端部へ向け、機体の振動に加えて安息角α以上の斜設部５４ｂａ，５４ｂｂの面により崩落し易くなり、底部ｂの両端部に有する繰出部５５ａ，５５ｂに確実に薬剤を誘導することができる。
【００５０】
さらに、散布物ホッパー５４の左右両端の底部ｂには繰出部５５ａ，５５ｂを設けるので、散布物ホッパー５４内で二方向に分かれた薬剤を、それぞれの繰出部５５ａ，５５ｂから各条に、薬剤を詰まらせることなく、確実かつ円滑に散布することができる。
【００５１】
次に、本願発明の散布物ホッパーは、把持部を備えるものである。図６は、散布物ホッパーの上面部に把持部を備えた散布物ホッパーの斜視図、図７は散布物ホッパーの側面部に把持部を備えた散布物ホッパーの斜視図である。
【００５２】
まず、各散布物ホッパー５４には、図６に示すように、蓋部５４ａの上面部に把持部５８が、この蓋部５４ａと一体形成により突設される。従って、把持部５８の材質は、散布物ホッパー５４と同じ汎用プラスチックなどの合成樹脂とすることができる。なお、把持部５８における上部の内周面には、指を嵌合可能とする凹凸部５８ａなどを形成してもよい。
【００５３】
このような構成にすることで、上述したように、１つの散布物ホッパー５４は、繰出部５５ａ，５５ｂやホース５６ａａ，５６ｂａ、ノズル５６ａｂ，５６ｂｂなどを一体的に構成したユニットｕをなすものであり、作業者がメンテナンスなどでこのユニットｕを着脱する際、散布物ホッパー５４に設けた把持部５８を持つことで、ユニットｕを落として破損させることなく確実に持つことができ、安全かつ容易に着脱作業を行うことができる。
【００５４】
なお、把持部の設置は、上述した散布物ホッパー５４における蓋部５４ａの上面部に限定されず、図７に示すように、散布物ホッパー５４本体の左右両側面部（左右一方の側面部でもよい）に把持部５８´として設置しても、上述同様の効果を得ることができる。さらに把持部は、図示しないが、散布物ホッパー５４における蓋部５４ａの上面部および本体左右側面部の双方に設けてもよい。
【００５５】
以上詳述したように、この例の田植機１の箱施用剤散布装置５１（散布装置）は、後部に苗載台３１を着脱可能に装着し、苗載台３１の後方であって、苗載台３１に架設したフレーム５３と、フレーム５３に固定した散布物ホッパー５４と、散布物ホッパー５４に繰出部５５を介して苗載台３１下部の各条ごとに設けたホース５６ａａ，５６ｂａと、ホース５６ａａ，５６ｂａの先端に取付けたノズル５６ａｂ，５６ｂｂとからなり、苗載台３１上の苗マットの床土上に散布物ホッパー５４の薬剤をノズル５６ａｂ，５６ｂｂを介して散布し、散布物ホッパー５４の形状は、この散布物ホッパー５４の底部ｂであって、左右両端部を、中央部から下方に向けて斜設したものである。
【００５６】
加えて、散布物ホッパー５４の底部ｂは、左右両端部が、中央部から安息角α以上の角度を有するとともに、散布物ホッパー５４の左右両端の底部ｂには繰出部を設け、さらに、散布物ホッパー５４は、上面部および/または側面部に把持部５８，５８´を備える。
【産業上の利用可能性】
【００５７】
なお、この発明は、散布装置を装着可能とする、苗載台を備えるあらゆる田植機に適用することができる。
【符号の説明】
【００５８】
１    田植機
３１    苗載台
５１    箱施用剤散布装置
５３，５３´    フレーム
５４    散布物ホッパー
５５ａ，５５ｂ    繰出部
５６ａ，５６ｂ    搬送部
５６ａｂ，５６ｂｂ    ノズル
５６ａａ，５６ｂａ    ホース
５８，５８´    把持部
５８ａ    凹凸部
ｂ    底部
α    安息角
【図１】
2011062175.tif 000003
【図２】
2011062175.tif 000004
【図３】
2011062175.tif 000005
【図４】
2011062175.tif 000006
【図５】
2011062175.tif 000007
【図６】
2011062175.tif 000008
【図７】
2011062175.tif 000009